(57)【特許請求の範囲】
【請求項１】
中心に位置する軸芯に複数の突出部が形成されてなり、前記軸芯の中心軸回りに回転させることにより、前記突出部に付着されたマスカラを施術者の睫毛に塗布するマスカラ塗布具において、
複数の前記突出部を扁平な形状とし、
前記突出部を平面視した場合に長く延出する方向を長手方向としたとき、複数の前記突出部を、前記長手方向が前記軸芯の周方向に対して第１の角度に傾くよう設けられた第１の突出部と、前記長手方向が前記軸芯の周方向に対して該第１の突出部と異なる第２の角度に傾くよう設けられた第２の突出部とにより構成し、
前記軸芯の回転に伴い、前記第１の突出部に前記睫毛が当接することにより該睫毛の進行経路が変更されるよう構成すると共に、該第１の突出部により変更された前記睫毛の進行経路上に前記第２の突出部を配設し、
前記第１の突出部と前記第２の突出部とを前記軸芯の周方向に交互に配置した構成としたことを特徴とするマスカラ塗布具。
【請求項２】
前記第１の突出部と前記第２の突出部が前記軸芯の周方向に対して千鳥状に配置されていることを特徴とする請求項１記載のマスカラ塗布具。
【請求項３】
前記第１の突出部と前記第２の突出部とを連続させたことを特徴とする請求項１又は２記載のマスカラ塗布具。
【請求項４】
前記軸芯及び前記突出部は、樹脂を一体成形した構成であることを特徴とする請求項１乃至３のいずれか一項に記載のマスカラ塗布具。
【請求項５】
マスカラが充填される容器本体と、該容器本体の開口部に装着される蓋体とを有する化粧品であって、
前記蓋体に請求項１乃至４のいずれか一項に記載のマスカラ塗布具を設けたことを特徴とする化粧品。
【発明の詳細な説明】
【技術分野】
【０００１】
本発明はマスカラ塗布具及び化粧品に係り、特に睫毛にマスカラを塗布する際に使用されるマスカラ塗布具及び化粧品に関する。
【背景技術】
【０００２】
一般に、睫毛にマスカラを塗布する美容具として、マスカラ塗布具が知られている。マスカラの施術者は、マスカラ塗布具にマスカラを付着させた後、このマスカラのついたマスカラ塗布具を手で回転させたり移動させたりすること等により、睫毛にマスカラを塗布する。マスカラ塗布具を用いて睫毛にマスカラを塗布することにより、睫毛にボリュームを持たせたり、睫毛をカールさせたり、また睫毛をセパレートして広げることが可能となる。
【０００３】
このマスカラ塗布具としては、多数のブラシ繊維束を一対の金属製の芯材の間に挟持させた上でこの芯材を螺旋状に巻回して作製するスクリューブラシ（特許文献１参照）や、樹脂を金型を用いて成型することにより作製される樹脂成型ブラシ（特許文献２参照）が知られている。樹脂成型ブラシによれば、ブラシを構成する複数の突出部（櫛歯）を高精度に成型することができる。
【先行技術文献】
【特許文献】
【０００４】
【特許文献１】特開２００３−２６５２３５号公報
【特許文献２】特開２００２−０５１８３３号公報
【発明の概要】
【発明が解決しようとする課題】
【０００５】
上記のように、樹脂成型ブラシでは、ブラシを構成する複数の突出部（櫛歯）を高精度に成型することができる。しかしながら従来の樹脂成型ブラシは、断面円形の複数の突出部が睫毛の特性等に関係なく整列された構成であったため、睫毛にマスカラをからませながら一本一本さばきつけることができないという問題点があった。
【０００６】
本発明は上記の点に鑑みてなされたものであり、マスカラを睫毛に確実にさばきつけることを可能としたマスカラ塗布具及び化粧品を提供することを目的とする。
【課題を解決するための手段】
【０００７】
上記の課題は、第１の観点からは、
中心に位置する軸芯に複数の突出部が形成されてなり、前記軸芯の中心軸回りに回転させることにより、前記突出部に付着されたマスカラを施術者の睫毛に塗布するマスカラ塗布具において、
前記複数の突出部を扁平な形状とし、
前記突出部を平面視した場合に長く延出する方向を長手方向としたとき、複数の前記突出部を、前記長手方向が前記軸芯の周方向に対して第１の角度に傾くよう設けられた第１の突出部と、長手方向が前記軸芯の周方向に対して該第１の突出部と異なる第２の角度に傾くよう設けられた第２の突出部とにより構成し、
前記軸芯の回転に伴い、前記第１の突出部に前記睫毛が当接することにより該睫毛の進行経路が変更されるよう構成すると共に、該第１の突出部により変更された睫毛の進行経路上に前記第２の突出部を配設し、
前記第１の突出部と前記第２の突出部とを前記軸芯の周方向に交互に配置した構成としたことを特徴とするマスカラ塗布具により解決することができる。
【０００８】
上記発明において、前記第１の突出部と前記第２の突出部が前記軸芯の周方向に対して千鳥状に配置した構成としてもよい。
【０００９】
また上記発明において、前記第１の突出部と前記第２の突出部とを連続させた構成としてもよい。
【００１０】
また上記発明において、前記軸芯及び前記突出部は樹脂を一体成形した構成としてもよい。
【００１１】
また上記の課題は、他の観点からは、
マスカラが充填される容器本体と、該容器本体の開口部に装着される蓋体とを有する化粧品であって、
前記蓋体に請求項１乃至４のいずれか一項に記載のマスカラ塗布具を設けたことを特徴とする化粧品により解決することができる。
【発明の効果】
【００１２】
上記発明によれば、睫毛は第１及び第２の突出部に順次当接して案内されるため、睫毛をジクザグに動かすことができ、睫毛にマスカラをからませながらさばきつけることが可能となる。
【図面の簡単な説明】
【００１３】
【図１】図１は本発明の一実施形態であるマスカラ塗布具を説明するための図であり、（Ａ）は正面図、（Ｂ）は左側面図である。
【図２】図２は、本発明の一実施形態であるマスカラ塗布具を一部展開した状態を示す図である。
【図３】図３は、本発明の一実施形態であるマスカラ塗布具の突出部を拡大して示す図である。
【図４】図４は、本発明の一実施形態であるマスカラ塗布具を用いたときの睫毛の動作を説明するための図（その１）である。
【図５】図５は、本発明の一実施形態であるマスカラ塗布具を用いたときの睫毛の動作を説明するための図（その２）である。
【図６】図６は、本発明の一実施形態であるマスカラ塗布具を用いたときの睫毛の動作を説明するための図（その３）である。
【図７】図７は、本発明の一実施形態である化粧品を示す部分断面図である。
【図８】図８は本発明の一実施形態であるマスカラ塗布具の第１変形例を説明するための図であり、（Ａ）は正面図、（Ｂ）は突出部の拡大図である。
【図９】図９は本発明の一実施形態であるマスカラ塗布具の第２変形例を説明するための図であり、（Ａ）は正面図、（Ｂ）は突出部の拡大図である。
【図１０】図１０は本発明の一実施形態であるマスカラ塗布具の第３変形例を説明するための図であり、（Ａ）は正面図、（Ｂ）は突出部の拡大図である。
【発明を実施するための形態】
【００１４】
次に、本発明の実施の形態について図面と共に説明する。
【００１５】
図１乃至図３は、本発明の一実施形態であるマスカラ塗布具を示す図である。図１はマスカラ塗布具１０の正面及び側面を模式的に示した図であり、図２はマスカラ塗布具１０の一部を展開した状態を示す図であり、図３は突出部１３を拡大して示す斜視図である。
【００１６】
マスカラ塗布具１０は、マスカラを施術者Ｘの睫毛ＭＡに塗布する際に使用されるものである。本実施形態に係るマスカラ塗布具１０は、大略すると軸芯１２と突出部１３とにより構成されている。このマスカラ塗布具１０は、マスカラからを突出部１３に付着させると共に、軸芯１２をその中心軸回りに回転させることにより、突出部１３に付着されたマスカラを施術者の睫毛ＭＡに塗布するものである。
【００１７】
軸芯１２と突出部１３は、金型を用いて樹脂を一体成型することにより形成されている。樹脂材料としては熱可塑性樹脂を用いることが望ましく、具体的にはエラストマー、ポリエチレン、ポリプロピレン、ポリスチレン、ポリエチレンテレフタレート、ポリブチレンテレフタレート、ポリカーボネート、ポリアセテート等を用いることができる。
【００１８】
軸芯１２は円筒形状を有しており、マスカラ塗布具１０の中心部分に位置するものである。この軸芯１２の直径は、例えばφ2.6mmである。また、軸芯１２の外周面（表面）には、複数の突出部１３が形成されている。本実施形態では、この各突出部１３の形状を四角錐形状としている。
【００１９】
ここで、突出部１３の形状について詳述する。
【００２０】
図３は、１本の突出部１３を拡大して示している。本実施形態では、突出部１３を菱形形状の底面を有した四角錐形状としている。いま、突出部１３の菱形形状の底面の対角線ａ，ｂ（ａ＞ｂ）とすると、この対角線の長さは例えばａ＝0.6mm，ｂ＝0.3mmとすることができる。また、突出部１３の高さＨは、例えばＨ＝1.8mmとすることができる。更に、突出部１３を構成する底面を除く各面は、後述するようにマスカラを塗布する際に睫毛ＭＡを案内する案内面１３ａを構成する。
【００２１】
上記のように、本実施形態では突出部１３の形状を菱形形状の底面を有した四角錐形状としているため、突出部１３を平面視した場合、図２に示すように、各突出部１３は扁平な形状（平たい形状）となっている。具体的には、長い対角線ａと短い対角線ｂの比（ｂ／ａ）が、0.2≦（ｂ／ａ）≦0.8の範囲に設定されている。なお、以下の説明において、突出部１３の長い対角線ａの延在方向を長手方向といい、突出部１３の短い対角線ｂの延在方向を短手方向というものとする。
【００２２】
次に、軸芯１２の表面における突出部１３の並び方に注目する。
【００２３】
突出部１３は、後述する所定の規則に従って列設されることにより突出部列を形成している。突出部列は、軸芯１２の外周で突出部１３が周方向に列設されることにより構成される複数の周方向突出部列１５と、軸芯１２の軸方向（Ｘ１，Ｘ２方向）に突出部１３が列設されることにより構成される複数の軸方向突出部列１８とを有している。
【００２４】
周方向突出部列１５は、軸芯１２の周方向（Ｚ１，Ｚ２方向）に列設された突出部１３の列であり、図２に符号１５で示す二点鎖線で示す範囲内に位置する突出部１３が一つの周方向突出部列１５を構成する。これに対して軸方向突出部列１８は、軸芯１２の軸方向（Ｘ１，Ｘ２方向）に列設された突出部１３の列であり、図２に符号１８Ａ〜１８Ｃで示す一点鎖線で囲まれた内部に位置する突出部１３が一つの軸方向突出部列１８を構成する。
【００２５】
次に、図２において突出部１３の長手方向の角度に注目する。
【００２６】
いま、軸芯１２の周方向（Ｚ１，Ｚ２方向）に対し時計方向の角度を正（＋）とし、反時計方向の角度を負（−）とすると、第１及び第３の軸方向突出部列１８Ａ，１８Ｃの突出部１３の軸芯１２の周方向（Ｚ１，Ｚ２方向）に対する角度（第１の長手方向角度という）は＋θとされている。これに対し、第１及び第３の軸方向突出部列１８Ａ，１８Ｃの間に挟まれた位置にある第２の軸方向突出部列１８Ｂの突出部１３の周方向（Ｚ１，Ｚ２方向）に対する角度（第２の長手方向角度という）は−θとされている。
【００２７】
なお、以下の説明においては、第１の長手方向角度＋θを有した突出部１３を特に第１の突出部１３Ａといい、第２の長手方向角度−θを有した突出部１３を特に第２の突出部１３Ｂといい、また第１及び第２の突出部１３Ａ，１３Ｂを総称する場合には突出部１３というものとする。
【００２８】
このように本実施形態では、各突出部１３Ａ，１３Ｂの長手方向角度が軸芯１２の周方向（Ｚ１，Ｚ２方向）に対して傾くよう設定されている。更に、隣り合った軸方向突出部列１８に属する第１の突出部１３Ａと第２の突出部１３Ｂは軸芯１２の周方向に対して異なる角度を有するよう構成されている。
【００２９】
具体的には、本実施形態では第１の突出部１３Ａの第１の長手方向角度θを＋３０°としており、第２の突出部１３Ｂの第２の長手方向角度を−３０°としている。第１の突出部１３Ａと第２の突出部１３Ｂは、図２に示されるように、軸芯１２の周方向（Ｚ１，Ｚ２方向）に交互に配置された構成とされている。
【００３０】
次に、隣接する突出部１３間における離間距離に注目する。
【００３１】
先ず、周方向突出部列１５に注目すると、一の周方向突出部列１５（例えば、図２における左端部の周方向突出部列１５）で第２の軸方向突出部列１８Ｂに属する第２の突出部１３Ｂ（図２に矢印Ａ２で示す）は、第１の軸方向突出部列１８Ａに属する第１の突出部１３Ａ（図２に矢印Ａ１で示す）に対してＸ２方向に距離ＬXだけ離間して配置されている。また、第３の軸方向突出部列１８Ｃに属する第１の突出部１３Ａ（図２に矢印Ａ３で示す）は、第２の軸方向突出部列１８Ｂに属する第２の突出部１３Ｂ（図２に矢印Ａ２で示す）に対してＸ１方向に距離ＬXだけ離間して配置されている。
【００３２】
従って、各周方向突出部列１５に属する突出部１３（１３Ａ，１３Ｂ）は、周方向に対して千鳥状に配置された構成とされている。なお、本実施形態では各突出部１３間の離間距離ＬXを1.2mmとしている。
【００３３】
次に、軸方向突出部列１８に注目する。
【００３４】
各軸方向突出部列１８に属する突出部１３は、Ｘ１，Ｘ２方向に延在する突出部の列であり、各軸方向突出部列１８に属する突出部１３の長手方向角度は同一角度とされている。またその列設状態は、周方向突出部列１５と異なり直線状とされている。
【００３５】
この各軸方向突出部列１８（１８Ａ，１８Ｂ，１８Ｃ）の周方向の離間距離をＬZとすると、隣接する軸方向突出部列１８間の離間距離ＬZは等しく設定されている。具体的には、図１（Ｂ）に示すように突出部１３は軸芯１２の中心位置に対して等角度αで配設された構成とされている。本実施形態では、角度αは22.5°に設定されている。よって、離間距離ＬZは、この角度αと軸芯１２の半径から求めることができる。
【００３６】
なお、上記した軸芯１２の直径、突出部１３の底面の対角線ａ，ｂの寸法、各突出部１３間の離間距離ＬX，ＬZ等、突出部１３の軸芯１２の中心位置に対する配設角度α等は、あくまでも一例を示したものであり、これに限定されるものではない。
【００３７】
次に、図４乃至図６を用いて、上記構成とされたマスカラ塗布具１０を用いて施術者の睫毛ＭＡにマスカラからを塗布するときの動作について説明する。図４乃至図６は、説明の便宜上、図２と同様にマスカラ塗布具１０を展開した状態を示している。また突出部１３には、既にマスカラが付着されているものとして以下説明を行う。
【００３８】
図４は、マスカラ塗布具１０が塗布を開始しようとする位置（塗布開始位置）にある状態を示している。マスカラ塗布具１０が塗布開始位置にある状態では、睫毛ＭＡは第１の軸方向突出部列１８Ａの各第１の突出部１３Ａの案内面１３ａ（図中、上方側に位置した案内面１３ａ）と対向した状態となっている。
【００３９】
この塗布開始位置より軸芯１２を図中矢印Ｚ２方向に回転すると、これに伴い各軸方向突出部列１８を構成する突出部１３もＺ２方向に回転を行う。この回転に伴い、先ず睫毛ＭＡは第１の軸方向突出部列１８Ａに属する第１の突出部１３Ａの案内面１３ａに当接（係合）する。
【００４０】
前記のように第１の軸方向突出部列１８Ａに属する各第１の突出部１３Ａは、軸芯１２の周方向（Ｚ１，Ｚ２方向）に対して第１の長手方向角度＋θだけ傾いた構成とされている。よって、案内面１３ａも第１の長手方向角度＋θに対応した角度だけ傾いた構成となっている。このため、マスカラ塗布具１０の回転に伴い睫毛ＭＡは、案内面１３ａに案内されて図中右上方向に進行する。このように、本実施形態に係るマスカラ塗布具１０では、軸芯１２の回転に伴い、第１の突出部１３Ａ（案内面１３ａ）に睫毛ＭＡ睫毛が当接することにより該睫毛の進行経路が変更される。
【００４１】
第２の軸方向突出部列１８Ｂに属する第２の突出部１３Ｂは、第１の軸方向突出部列１８Ａに属する第１の突出部１３Ａにより変更された睫毛ＭＡの進行経路上に位置するよう配設されている。よって、第１の軸方向突出部列１８Ａの第１の突出部１３Ａで案内された睫毛ＭＡは、図５に示されるように、第２の軸方向突出部列１８Ｂに属する第２の突出部１３Ｂの案内面１３ａに当接する。
【００４２】
第２の軸方向突出部列１８Ｂに属する第２の突出部１３Ｂは、第２の長手方向角度−θを有している。この第２の長手方向角度−θは、第１の突出部１３Ａが有する第１の長手方向角度＋θに対して反対方向に傾いている。よって、第２の軸方向突出部列１８Ｂに属する第２の突出部１３Ｂ（突出部１３ａ）に案内されることにより、睫毛ＭＡはその進行経路が図中左上方向に変更される。
【００４３】
第３の軸方向突出部列１８Ｃに属する第１の突出部１３Ａは、第２の軸方向突出部列１８Ｂに属する第２の突出部１３Ｂにより変更された睫毛ＭＡの進行経路上に位置するよう配設されている。よって、第２の軸方向突出部列１８Ｂの第２の突出部１３Ｂで案内された睫毛ＭＡは、第３の軸方向突出部列１８Ｃに属する第１の突出部１３Ａの案内面１３ａに当接する。
【００４４】
第３の軸方向突出部列１８Ｃに属する第１の突出部１３Ａは第１の軸方向突出部列１８Ａと同様に、第１の長手方向角度＋θを有している。よって、第３の軸方向突出部列１８Ｃに属する第１の突出部１３Ａ（突出部１３ａ）に案内されることにより、図６に示されるように、睫毛ＭＡは再びその進行経路が図中右上方向に変更される。
【００４５】
本実施形態に係るマスカラ塗布具１０は、第３の軸方向突出部列１８Ｃ以降においても、第１の長手方向角度＋θを有する第１の突出部１３Ａを含む軸方向突出部列１８と、第２の長手方向角度−θを有する第２の突出部１３Ｂを含む軸方向突出部列１８とが交互に配設された構成とされている。
【００４６】
よって、マスカラ塗布具１０を回転することにより、睫毛ＭＡは第１の突出部１３Ａと第２の突出部１３Ｂに順次案内されて進行するため、睫毛ＭＡはジグザグ状の進行経路を取ることになる。これにより単に軸芯１２を回転させるだけで睫毛ＭＡをジクザグに動かすことができ、睫毛にマスカラをからませながらさばきつけることが可能となる。よって、マスカラ塗布具１０を用いることにより，容易かつ確実に睫毛ＭＡにマスカラを塗布することができる。
【００４７】
なお、図４〜図５では、図示及び説明の便宜上、各突出部１３に対して１本の睫毛ＭＡが案内される例を示しているが、実際は複数の睫毛ＭＡが同時に突出部１３により案内される。
【００４８】
図７は、上記したマスカラ塗布具１０を適用したマスカラ化粧品２０を示している。マスカラ化粧品２０は、大略するとマスカラ塗布具１０、容器本体２１、蓋体２２、軸２３、及びしごき部材２４等により構成されている。
【００４９】
容器本体２１は、内部にマスカラ（図示せず）を充填される容器である。この容器本体２１の上部には、マスカラを取り出すための開口部が形成されている。蓋体２２は、容器本体２１に装着されることにより開口部を閉蓋する。
【００５０】
また、蓋体２２は軸２３が配設されると共に、この軸２３の先端部にはマスカラ塗布具１０が設けられている。よって、蓋体２２を容器本体２１に装着すると、マスカラ塗布具１０の突出部１３は、マスカラに浸漬された状態となる。
【００５１】
しごき部材２４は、容器本体２１の開口部に装着されている。このしごき部材２４は弾性体により構成されており、蓋体２２を容器本体２１から取り外す際、マスカラ塗布具１０（突出部１３）に付着したマスカラをしごくのに使用される。このしごき部材２４により、マスカラ塗布具１０に含ませるマスカラの量を適度に調整することができる。
【００５２】
本実施形態に係るマスカラ塗布具１０は、このような容器本体２１と蓋体２２とを有するマスカラ化粧品２０に適用することができる。また、本実施形態に係るマスカラ塗布具１０は、必ずしもマスカラ化粧品２０と一体化する必要はなく、美容具として化粧品（マスカラ）と別箇な構成とすることも可能である。
【００５３】
次に、図８〜図１０を用いて、上記したマスカラ塗布具１０の変形例について説明する。なお、図８〜図１０において、図１乃至図７に示した構成と対応する構成については同一符号を付してその説明を省略する。
【００５４】
図８及び図９は、上記したマスカラ塗布具１０の第１及び第２変形例である化粧品２０，３０を示している。この第１及び第２変形例である化粧品２０，３０は、図２に示した第１乃至第３の軸方向突出部列１８Ａ〜１８Ｃを周方向に連続させた構成としたものである。
【００５５】
図８に示す第１変形例である化粧品２０は、突出部２３を波状に形成し、その一部を睫毛ＭＡが案内される案内面２３ａとしたものである。また、図９に示す第２変形例である化粧品３０は、突出部２３をジグザグ状に形成し、その一部を睫毛ＭＡが案内される案内面３３ａとしたものである。この第１及び第２変形例である化粧品２０，３０によれば、睫毛ＭＡを確実にジグザグ状に案内することができる。
【００５６】
図１０は、第３変形例であるマスカラ塗布具４０を示している。前記したマスカラ塗布具１０では、突出部１３の形状を上部に向かうにつれて断面積が小さくなる四角錐形状としたが、本変形例では突出部４３の形状を角柱形状としたものである。このように、突出部の形状は四角錐に限定されるものではなく、睫毛ＭＡをジグザグ状に案内しうる案内面を有する形状であれば、他の形状とすることも可能である。
【００５７】
以上、本発明の好ましい実施形態について詳述したが、本発明は上記した特定の実施形態に限定されるものではなく、特許請求の範囲に記載された本発明の要旨の範囲内において、種々の変形・変更が可能なものである。
【００５８】
具体的には、上記したマスカラ塗布具１０は、施術者Ｘがマスカラ塗布具１０を把持して回転させることによりマスカラを施術者Ｘに塗布する構成であったが、軸芯１２をモータに接続することにより、モータの駆動力によりマスカラ塗布具１０を回転させて睫毛ＭＡにマスカラを塗布する構成としてもよい。この構成とすることにより、マスカラ塗布具１０の操作性を向上させることができる。また、マスカラ塗布具にマスカラを加熱する加熱機構を設けることにより、マスカラを加熱しつつ塗布することが可能な構成とすることもできる。
【符号の説明】
【００５９】
１０，２０，３０，４０  マスカラ塗布具
１２  軸芯
１３，２３，３３，４３  突出部
１３Ａ  第１の突出部
１３Ｂ  第２の突出部
１３ａ，２３ａ，３３ａ，４３ａ  案内面
１５  周方向突出部列
１８  軸方向突出部列
１８Ａ  第１の軸方向突出部列
１８Ｂ  第２の軸方向突出部列
１８Ｃ  第３の軸方向突出部列
２０  マスカラ化粧品
２１  容器本体
２２  蓋体
２３  軸
２４  しごき部材
ＬＡ  睫毛
【図１】
0005756619.tif 000002
【図２】
0005756619.tif 000003
【図３】
0005756619.tif 000004
【図４】
0005756619.tif 000005
【図５】
0005756619.tif 000006
【図６】
0005756619.tif 000007
【図７】
0005756619.tif 000008
【図８】
0005756619.tif 000009
【図９】
0005756619.tif 000010
【図１０】
0005756619.tif 000011